(57)【要約】【課題】保証書等の書類が配送中に脱落してしまうことや、届け先でこれらの書類が抜き取られないままに廃棄されることを、簡便かつ確実に防止することができ、しかも、作業性がよく、汎用的な配送伝票を提供する。【解決手段】配送伝票１０は、印字用基材１１と、タック紙１２とが、剥離構造１６によって、剥離可能に接着された１ｐｔ方式の配送伝票であり、印字用基材１１は、プリンタで印字可能な上質紙であり、タック紙１２は、タック基材１３、粘着剤１４及び剥離紙１５が順に積層されたシートであり、ハーフカットｈｃ１によって、剥離紙１５の三方の周縁部をコの字型に剥離し、この配送伝票１０を荷物に貼り付けると、剥離紙１５と荷物との間に、袋形状の収納部が形成され、その収納部に、書類２０を封入し、その後に、ハーフカットｈｃ２によって、剥離紙１５の残りの周縁部を剥離し、収納部を封緘する。【選択図】図１
2005288989.tif 000002
【特許請求の範囲】
【請求項１】
基材と、
前記基材の周縁部の一部又は全部に設けられた粘着層とを備える配送伝票であって、
この配送伝票を被着体に貼り付けると、前記基材と前記被着体との間に袋形状の収納部が形成されること、
を特徴とする配送伝票。
【請求項２】
第１の基材と、
前記第１の基材に、剥離構造を介して設けられた第２の基材と、
前記第２の基材に、粘着層を介して設けられた第３の基材とを備える配送伝票であって、
前記第３の基材は、その第３の基材の周縁部の一部又は全部を剥離する第１の剥離予定線を備え、
前記第１の剥離予定線によって、前記第３の基材の周縁部の一部又は全部を剥離し、この配送伝票を被着体に貼り付けると、前記第３の基材と前記被着体との間に袋形状の収納部が形成されること、
を特徴とする配送伝票。
【請求項３】
請求項２に記載の配送伝票において、
前記第２の基材、前記粘着層及び前記第３の基材は、タック基材、粘着層及び剥離シートが順に積層されたタックシートであること、
を特徴とする配送伝票。
【請求項４】
請求項２又は請求項３に記載の配送伝票において、
前記第３の基材は、その第３の基材の残りの周縁部を剥離する第２の剥離予定線を備え、
前記第２の剥離予定線によって、前記第３の基材の残りの周縁部を剥離し、前記収納部を封緘すること、
を特徴とする配送伝票。
【請求項５】
請求項１から請求項４までのいずれか１項に記載の配送伝票において、
前記収納部を開封する開封手段を備えること、
を特徴とする配送伝票。
【請求項６】
請求項５に記載の配送伝票において、
前記開封手段は、前記第２及び第３の基材に設けられた開口部であること、
を特徴とする配送伝票。
【請求項７】
請求項６に記載の配送伝票において、
前記開口部は、その開口部となる部分の外縁に第３の剥離予定線を備え、
前記第２の基材から前記第１の基材を剥離すると、前記第１、第２及び第３の基材が一体となって剥離し形成されること、
を特徴とする配送伝票。
【請求項８】
請求項７に記載の配送伝票において、
前記第２の基材の開口部となる部分は、それ以外の部分よりも強い接着力で前記第１の基材と接着していること、
を特徴とする配送伝票。
【請求項９】
請求項８に記載の配送伝票において、
前記剥離構造は、前記開口部となる部分上には、剥離層を有しておらず、それ以外の部分上には、剥離層を有していること、
を特徴とする配送伝票。
【請求項１０】
請求項５に記載の配送伝票において、
前記開封手段は、
連続して設けられた複数の小孔と、
前記小孔を連結するカット線とからなること、
を特徴とする配送伝票。
【請求項１１】
請求項１から請求項１０までのいずれか１項に記載の配送伝票において、
前記収納部に封入する封入物を備え、
前記封入物は、封入前には、この配送伝票と連接して設けられていること、
を特徴とする配送伝票。
【発明の詳細な説明】
【技術分野】
【０００１】
本発明は、電気通信回路を用いて商取引を行うＥＤＩ（電子データ交換）に利用するのに好適な配送伝票に関するものである。
【背景技術】
【０００２】
従来、通信販売主は、家電製品等の大型製品を販売する場合には、梱包済みの製品であっても、購入明細書を同封するために、梱包を解いていた。
【０００３】
しかし、この作業は、負担も大きく、また、一度開梱してから再度梱包する必要があるため、開梱時は、慎重に作業する必要があった。
【０００４】
また、一度開梱すると、その痕跡が残ってしまい、注文主は、『中古品ではないだろうか』等と疑念を持つ場合があり、注文主にとっても通信販売主にとっても、望ましい状態ではなかった。
【０００５】
特に、家電製品は、一般に『保証書』も同封する必要が生じるため、結局は開梱せざるを得なかった。
確かに、家電製品の保証書は、段ボールの端から開梱せずとも引き抜ける形態のもの（例えば、特許文献１）もあったが、引き抜きやすいと配送中に脱落する危険性もあり、作業性のよいものはなかった。
【特許文献１】特開２００３−１２８０４６号公報
【発明の開示】
【発明が解決しようとする課題】
【０００６】
本発明の課題は、保証書等の書類が配送中に脱落してしまうことや、届け先でこれらの書類が抜き取られないままに廃棄されることを、簡便かつ確実に防止することができ、しかも、作業性がよく、汎用的な配送伝票を提供することである。
【課題を解決するための手段】
【０００７】
本発明は、以下のような解決手段により、前記課題を解決する。なお、理解を容易にするために、本発明の実施例に対応する符号を付して説明するが、これに限定されるものではない。
請求項１の発明は、基材と、前記基材の周縁部の一部又は全部に設けられた粘着層とを備える配送伝票であって、この配送伝票を被着体に貼り付けると、前記基材と前記被着体との間に袋形状の収納部が形成されること、を特徴とする配送伝票である。
【０００８】
請求項２の発明は、第１の基材（１１）と、前記第１の基材（１１）に、剥離構造（１６）を介して設けられた第２の基材（１３）と、前記第２の基材（１３）に、粘着層（１４）を介して設けられた第３の基材（１５）とを備える配送伝票であって、前記第３の基材（１５）は、その第３の基材（１５）の周縁部の一部又は全部を剥離する第１の剥離予定線（ｈｃ１）を備え、前記第１の剥離予定線（ｈｃ１）によって、前記第３の基材（１５）の周縁部の一部又は全部を剥離し、この配送伝票を被着体に貼り付けると、前記第３の基材（１５）と前記被着体との間に袋形状の収納部が形成されること、を特徴とする配送伝票である。
【０００９】
請求項３の発明は、請求項２に記載の配送伝票において、前記第２の基材（１３）、前記粘着層（１４）及び前記第３の基材（１５）は、タック基材、粘着層及び剥離シートが順に積層されたタックシート（１２）であること、を特徴とする配送伝票である。
【００１０】
請求項４の発明は、請求項２又は請求項３に記載の配送伝票において、前記第３の基材（１５）は、その第３の基材（１５）の残りの周縁部を剥離する第２の剥離予定線（ｈｃ２）を備え、前記第２の剥離予定線（ｈｃ２）によって、前記第３の基材（１５）の残りの周縁部を剥離し、前記収納部を封緘すること、を特徴とする配送伝票である。
【００１１】
請求項５の発明は、請求項１から請求項４までのいずれか１項に記載の配送伝票において、前記収納部を開封する開封手段を備えること、を特徴とする配送伝票である。
【００１２】
請求項６の発明は、請求項５に記載の配送伝票において、前記開封手段は、前記第２及び第３の基材（１３、１５）に設けられた開口部（１９）であること、を特徴とする配送伝票である。
【００１３】
請求項７の発明は、請求項６に記載の配送伝票において、前記開口部（１９）は、その開口部（１９）となる部分の外縁に第３の剥離予定線（ｈｃ３）を備え、前記第２の基材（１３）から前記第１の基材（１１）を剥離すると、前記第１、第２及び第３の基材（１１、１３、１５）が一体となって剥離し形成されること、を特徴とする配送伝票である。
【００１４】
請求項８の発明は、請求項７に記載の配送伝票において、前記第２の基材（１３）の開口部（１９）となる部分は、それ以外の部分よりも強い接着力で前記第１の基材（１１）と接着していること、を特徴とする配送伝票である。
【００１５】
請求項９の発明は、請求項８に記載の配送伝票において、前記剥離構造（１６）は、前記開口部（１９）となる部分上には、剥離層（１７）を有しておらず、それ以外の部分上には、剥離層（１７）を有していること、を特徴とする配送伝票である。
【００１６】
請求項１０の発明は、請求項５に記載の配送伝票において、前記開封手段は、連続して設けられた複数の小孔（１９ａ）と、前記小孔（１９ａ）を連結するカット線（ｍｃ）とからなること、を特徴とする配送伝票である。
【００１７】
請求項１１の発明は、請求項１から請求項１０までのいずれか１項に記載の配送伝票において、前記収納部に封入する封入物（２０）を備え、前記封入物（２０）は、封入前には、この配送伝票と連接して設けられていること、を特徴とする配送伝票である。
【発明の効果】
【００１８】
本発明によれば、配送伝票を被着体に貼り付け、その配送伝票の基材と被着体との間に袋形状の収納部を形成するようにしたので、簡便かつ確実に保証書等の封入物を配送でき、作業性も向上する。
【発明を実施するための最良の形態】
【００１９】
本発明は、保証書等の書類が配送中に脱落してしまうことや、届け先でこれらの書類が抜き取られないままに廃棄されることを、簡便かつ確実に防止することができ、しかも、作業性がよく、汎用的な配送伝票を提供するという目的を、印字用基材とタックシートとを剥離可能に貼り合わせ、タックシートの剥離紙の周縁部を剥離し、荷物に貼り付け、剥離紙と荷物との間に書類を封入することにより実現する。
【実施例１】
【００２０】
以下、図面等を参照して、本発明の実施例について、さらに詳しく説明する。
図１は、本発明による配送伝票の実施例１を示す図であって、図１（Ａ）は、全体構成図及びａａ断面図、図１（Ｂ）は、タック紙を示す図及びｂｂ断面図、図１（Ｃ）は、剥離紙を示す図である。
実施例１の配送伝票１０は、印字用基材（第１の基材）１１と、タック紙１２とが、剥離構造１６によって、剥離可能に接着された１ｐｔ（パート）方式の配送伝票である。
【００２１】
印字用基材１１は、ＮＩＰ（ノンインパクトプリンタ）等のプリンタで印字可能な上質紙であり、『ここから剥がして、商品明細書と払込取扱票を必ず取り出してください。』等の注意書きが印字されている保護部１１ａと、運送業者が捺印をもらって持ち帰る配達票１１ｂ等とを備える。
【００２２】
タック紙１２は、タック基材（第２の基材）１３、粘着剤１４及び剥離紙（第３の基材）１５が順に積層されたシートであり、後述する３つのハーフカット（第１〜３の剥離予定線）ｈｃ１、ｈｃ２、ｈｃ３を備える。
【００２３】
剥離構造１６は、剥離インキによって形成された剥離層１７と、接着剤１８とを備え、図１（Ｂ）の下図に示すように、開口部１９となる部分上には、剥離層１７を有しておらず、それ以外の部分上には、剥離層１７を有している。
そのため、タック基材１３の開口部１９となる部分は、それ以外の部分よりも強い接着力で印字用基材１１と接着している。
【００２４】
ハーフカットｈｃ１は、図１（Ｃ）に示すように、剥離紙１５の三方の周縁部（左端部、下端部、右端部）をコの字型に剥離するためのカット線であり、剥離紙１５の裏面からタック基材１３を貫通しないように切り込まれている。
【００２５】
ハーフカットｈｃ２は、剥離紙１５の残りの周縁部（上端部）を剥離するためのカット線であり、剥離紙１５の左の端から右の端まで、かつ、剥離紙１５の裏面からタック基材１３を貫通しないように切り込まれている。
【００２６】
ハーフカットｈｃ３は、開封手段としての開口部１９を形成するためのカット線であり、剥離紙１５の中央のアイランド部であって、開口部１９となる部分の外縁に、タック紙１２全体を貫通するように切り込まれている。この部分は、印字用基材１１と接着しているので脱落しない。
【００２７】
次に、実施例１の配送伝票１０の使用方法を説明する。
図２は、実施例１の配送伝票の使用方法を示す図である。
（＃１）プリンタを用いて、配達票１１ｂ等に必要事項を印字する。
（＃２）ハーフカットｈｃ１によって、剥離紙１５の周縁部をコの字型に剥離し、この配送伝票１０を荷物に貼り付ける。このとき、剥離紙１５の中央のアイランド部と荷物との間に、袋形状の収納部（封筒）が形成される。
（＃３）収納部に、商品明細書、払込取扱票、保証書、購入明細書等の書類（封入物）２０を封入する。
【００２８】
（＃４）ハーフカットｈｃ２によって、書類２０の投入口となっていた上端部の剥離紙１５を剥離し、収納部を封緘する。この状態で、荷物は配送される。
（＃５）荷物が届いたら、運送業者は、配達票１１ｂを剥離し、捺印をもらって持ち帰る。
（＃６）注文主が保護部１１ａを剥離すると、開口部１９となる部分の保護部１１ａ、タック基材１３及び剥離紙１５が一体となって剥離し、タック基材１３及び剥離紙１５に、収納部を開封する開口部１９が形成される。注文主は、開口部１９から書類２０を取り出して確認する。
【００２９】
このように、実施例１によれば、収納部に書類２０を封入しているので、配送中には、内部の書類２０が飛び出すことがなく、書類２０の不用意な脱落が防止でき、配送後には、簡単に書類２０を取り出すことができる。
また、保護部１１ａを剥離すると、開口部１９が形成されるので、書類２０が抜き取られないままに廃棄されてしまうことを防止できる。
さらに、タックシートを用いているので、安価に製造でき、汎用的である。
一方、大型の家電製品の販売や、通信販売等に利用した場合であっても、書類２０を封入するために荷物を開梱する必要がないので、通信販売主は、作業性が向上し、注文主は、『中古品ではないだろうか』等と疑念を持つこともなく、満足度も向上する。
【実施例２】
【００３０】
図３は、本発明による配送伝票の実施例２を示す図である。
なお、前述した実施例１と同様な機能を果たす部分には、同一の符号又は末尾に統一した符号を付して、重複する説明や図面を適宜省略する。
実施例２の配送伝票１０Ａは、実施例１の配送伝票１０と近いタイプであるが、開封手段としての開口部１９は、タック基材１３及び剥離紙１５に、あらかじめ形成されている。
【００３１】
このように、実施例２によれば、開口部１９をあらかじめ形成するので、実施例１と比べて製造が容易であり、また、開口部１９の出現も確実である。
【実施例３】
【００３２】
図４は、本発明による配送伝票の実施例３を示す図である。
実施例３の配送伝票１０Ｂと、実施例１の配送伝票１０との異なる点は、図３（Ｃ）に示すように、開封手段が、連続して設けられた複数の小孔１９ａと、その小孔１９ａを連結するミシン目（カット線）ｍｃとからなる点である。
【００３３】
このように、実施例３によれば、開封手段は、小孔１９ａを有するので、指の挿入が容易であり、開封しやすい。
また、開封した場合には、ミシン目ｍｃが切断され、開封の事実が確認できるので、セキュリティ性も高く、ソフトウエア等の販売に有効である。
【００３４】
（変形例）
以上説明した実施例に限定されることなく、種々の変形や変更が可能であって、それらも本発明の均等の範囲内である。
（１）印字用基材と、その印字用基材の周縁部の一部又は全部に設けられた粘着層とを備える配送伝票とし、この配送伝票を被着体に貼り付けて収納部を形成するようにしてもよい。
（２）第２の基材／粘着層／第３の基材は、タック紙を用いる例で説明したが、タック紙を用いなくてもよい。
（３）封入物は、封入前には、配送伝票と連接して設けるようにしてもよい。このようにすれば、封入物と配送伝票とを、プリンタで同時に印字することができ、両者のマッチングミスを防止することができ、作業効率も向上する。
【図面の簡単な説明】
【００３５】
【図１】本発明による配送伝票の実施例１を示す図である。
【図２】実施例１の配送伝票の使用方法を示す図である。
【図３】本発明による配送伝票の実施例２を示す図である。
【図４】本発明による配送伝票の実施例３を示す図である。
【符号の説明】
【００３６】
１０、１０Ａ、１０Ｂ  配送伝票
１１  印字用基材
１１ａ  保護部
１１ｂ  配達票
１２  タック紙
１３  タック基材
１４  粘着剤
１５  剥離紙
１６  剥離構造
１７  剥離層
１８  接着剤
１９  開口部
１９ａ  小孔
２０  書類
ｈｃ１  ハーフカット
ｈｃ２  ハーフカット
ｈｃ３  ハーフカット
ｍｃ  ミシン目
【図１】
2005288989.tif 000003
【図２】
2005288989.tif 000004
【図３】
2005288989.tif 000005
【図４】
2005288989.tif 000006